(57)【要約】【課題】撮影映像を他機に送信するものであって、ＣＥＣを利用して回転情報をも送信し、他機に撮影映像の回転表示を実行させることが可能な撮影装置を提供する。【解決手段】被写体の撮影によって得られた映像情報を記録するとともに、ＨＤＭＩ規格に準拠した通信によって、前記映像情報を他機に転送する撮影装置であって、他機において前記映像情報が表示される際に映像がどのように回転されるかを表す情報（回転情報）を記録するとともに、前記転送を行うときに、ＨＤＭＩ規格のＣＥＣを用いて、前記回転情報を他機に送信する撮影装置とする。【選択図】図４
2010263338.tif 000002
【特許請求の範囲】
【請求項１】
被写体の撮影によって得られた映像情報を記録するとともに、ＨＤＭＩ規格に準拠した通信によって、前記映像情報を他機に転送する撮影装置であって、
他機において前記映像情報が表示される際に映像がどのように回転されるかを表す情報（「回転情報」とする）を記録するとともに、
前記転送を行うときに、ＨＤＭＩ規格のＣＥＣを用いて、前記回転情報を他機に送信することを特徴とする撮影装置。
【請求項２】
請求項１に記載の撮影装置と、
ＨＤＭＩケーブルを介して前記撮影装置に接続され、前記転送のなされた映像情報を受信して表示する映像表示装置と、
を有する映像処理システムであって、
前記映像表示装置は、
前記映像情報を、前記回転情報に応じて回転させた上で、表示することを特徴とする映像処理システム。
【請求項３】
前記映像表示装置は、
ユーザによって入力された情報に基づいて前記回転情報を生成し、ＨＤＭＩ規格のＣＥＣを用いて前記撮影装置に送信するものであり、
前記撮影装置は、
前記映像表示装置から該回転情報を受信して記録することを特徴とする請求項２に記載の映像処理システム。
【請求項４】
前記映像表示装置は、
ユーザによる回転角の入力を受付けるとともに、該入力がなされたタイミングを検出し、
この検出の結果に応じたタイミングと、この入力された回転角と、を表す前記回転情報を生成して、前記撮影装置に送信するものであり、
さらに前記映像情報を表示する際には、
前記回転情報が表すタイミングが到来したときに、前記回転情報が表す回転角だけ、前記映像情報を回転させることを特徴とする請求項３に記載の映像処理システム。
【請求項５】
前記撮影装置は、
撮影が実行される度に、その撮影によって得られた映像情報を別個のファイルとして記録し、
前記ファイルごとに、前記回転情報を別個に記録することを特徴とする請求項２から請求項４の何れかに記載の映像処理システム。
【発明の詳細な説明】
【技術分野】
【０００１】
本発明は、撮影を行う撮影装置、および当該撮影装置と映像表示装置を備えた映像処理システムに関する。
【背景技術】
【０００２】
従来、風景などの被写体を撮影する撮影装置（ビデオカメラなど）が広く用いられている。特に近年では、小型で安価な撮影装置も普及してきており、一般家庭においても、手軽に撮像を行うことが可能となっている。また撮影装置の機能向上を図るための技術も種々提案されており、例えば特許文献１には、ビデオカメラで撮影される映像を補正する技術が開示されている。
【０００３】
一方、上述した撮影装置や映像表示装置（テレビ受像機など）といったようなデジタルＡＶ機器の多くには、ＨＤＭＩ［High Definition Multimedia Interface］規格に準拠したインターフェース（ＨＤＭＩインターフェース）が標準搭載されている。ＨＤＭＩインターフェースを用いれば、映像や音声等のデータを、１本のケーブルで高速転送することが可能である。
【０００４】
これにより、例えば撮影装置で撮影された映像を映像表示装置に転送し、この撮影映像を、映像表示装置側で表示させることも可能となる。その結果、例えば「撮影映像をより大きな画面で鑑賞したい」といったユーザの要望を満たすことができる。
【０００５】
またＨＤＭＩ規格においては、ＡＶ出力等の規格と共に、機器間双方が互いに制御を可能とするＣＥＣ［Consumer Electronics Control］の機能についても規定されている。ＣＥＣによれば、ＨＤＭＩインターフェースを有する機器同士で、制御コマンド等のやりとりが可能となり、１対１もしくは１対多の機器制御が可能となる。
【０００６】
ＣＥＣの一例としては、「One Touch Play 機能」が挙げられる。この機能によれば、例えばビデオカメラの再生ボタンが押下されると、これに接続されているテレビ受像機は自動的に起動し、更に、このビデオカメラからの映像情報等の入力を受付ける。その他、ＨＤＭＩ規格においては多種のＣＥＣ機能が定義されており、実際にどのＣＥＣ機能を採用するかについては、機器の製造元が任意に決定できる。
【先行技術文献】
【特許文献】
【０００７】
【特許文献１】特開平１１−１７７９１７号公報
【特許文献２】特開平１０−２１０３４９号公報
【発明の概要】
【発明が解決しようとする課題】
【０００８】
上述したように、撮影装置を手軽に使用することができる環境では、機器の扱いに不慣れなユーザが撮影を行うことも多い。そのため、撮影装置が傾けられた状態での撮影がなされ、撮影映像が、横向きや斜め向きになった映像（傾いた映像）となることも多いと考えられる。また、撮影映像自体は正常であっても、視聴者の趣向により、意図的に傾けられた映像が望まれる可能性もある。
【０００９】
そのため、撮影映像を任意に回転させた上で表示すること（撮影映像の回転表示）が可能となっていれば、傾いた映像を補正すること等ができるため、ユーザにとって便利である。特に、撮影映像が撮影装置から映像表示装置に転送される場合、映像表示装置側に映像を回転させる機能が備えられていれば、例えば、撮影装置から映像表示装置へ回転角などの情報（回転情報）が転送されるようにして、撮影映像の回転表示を実現することもできる。またこのような機能における機器間の通信については、既に確立しているＣＥＣの機能が利用されることにより、信頼性の高い通信が容易に実現可能である。
【００１０】
本発明は上述した事情に鑑み、撮影映像を他機に送信するものであって、ＣＥＣを利用して回転情報をも送信し、他機に撮影映像の回転表示を実行させることが可能となる撮影装置、および当該撮影装置を有する映像処理システムの提供を目的とする。
【課題を解決するための手段】
【００１１】
上記目的を達成するため、本発明に係る撮影装置は、被写体の撮影によって得られた映像情報を記録するとともに、ＨＤＭＩ規格に準拠した通信によって、前記映像情報を他機に転送する撮影装置であって、他機において前記映像情報が表示される際に映像がどのように回転されるかを表す情報（「回転情報」とする）を記録するとともに、前記転送を行うときに、ＨＤＭＩ規格のＣＥＣを用いて、前記回転情報を他機に送信する構成とする。
【００１２】
本構成によれば、他機に撮影映像の回転表示を実行させることが可能となる。そのため、傾いた映像の補正などが可能となるため、利便性を向上させることができる。また機器間の通信については、既に確立されているＣＥＣが利用されるため、信頼性の高い通信が容易に実現される。
【００１３】
また本発明に係る映像処理システムは、上記構成の撮影装置と、ＨＤＭＩケーブルを介して前記撮影装置に接続され、前記転送のなされた映像情報を受信して表示する映像表示装置と、を有する映像処理システムであって、前記映像表示装置は、前記映像情報を、前記回転情報に応じて回転させた上で、表示する構成とする。本構成によれば、映像表示装置に表示される映像について、傾いた映像の補正などが可能となる。
【００１４】
また上記構成において、前記映像表示装置は、ユーザによって入力された情報に基づいて前記回転情報を生成し、ＨＤＭＩ規格のＣＥＣを用いて前記撮影装置に送信するものであり、前記撮影装置は、前記映像表示装置から該回転情報を受信して記録する構成としてもよい。本構成によれば、ユーザの意図に沿って、映像の回転を実行することが可能となる。
【００１５】
また上記構成において、前記映像表示装置は、ユーザによる回転角の入力を受付けるとともに、該入力がなされたタイミングを検出し、この検出の結果に応じたタイミングと、この入力された回転角と、を表す前記回転情報を生成して、前記撮影装置に送信するものであり、さらに前記映像情報を表示する際には、前記回転情報が表すタイミングが到来したときに、前記回転情報が表す回転角だけ、前記映像情報を回転させる構成としてもよい。本構成によれば、映像表示装置に表示される映像を、所望のタイミングで回転させることが容易となる。
【００１６】
また上記構成において、前記撮影装置は、撮影が実行される度に、その撮影によって得られた映像情報を別個のファイルとして記録し、前記ファイルごとに、前記回転情報を別個に記録する構成としてもよい。本構成によれば、ファイルごとに、映像をどのように回転させるかを設定することが可能となるため、より利便性が向上する。
【発明の効果】
【００１７】
上述した通り、本発明に係る撮影装置によれば、他機に撮影映像の回転表示を実行させることが可能となる。そのため、傾いた映像の補正などが可能となるため、利便性を向上させることができる。また機器間の通信については、既に確立されているＣＥＣが利用されるため、信頼性の高い通信が容易に実現される。
【図面の簡単な説明】
【００１８】
【図１】本発明の実施形態に係る映像処理システムの構成図である。
【図２】本発明の実施形態に係るビデオカメラの構成図である。
【図３】本発明の実施形態に係るテレビ受像機の構成図である。
【図４】録画転送表示処理に関するフローチャートである。
【図５】回転管理テーブルに関する説明図である。
【図６】回転管理テーブルに関する説明図である。
【発明を実施するための形態】
【００１９】
本発明の実施形態について、映像情報を処理する映像処理システムを挙げて以下に説明する。図１は、当該映像処理システムの構成図である。本図に示すように、当該映像処理システム９は、ビデオカメラ１およびテレビ受像機２を有し、両機はＨＤＭＩケーブル（ＨＤＭＩ規格に適合したケーブル）３によって接続されている。これにより両機は、映像情報やＣＥＣに関する情報等をやりとりすることが可能となっている。
【００２０】
またビデオカメラ１は、図２に示すように、撮像部１１、マイク１２、映像音声処理部１３、ＨＤＭＩ端子１４、演算制御部１５、メモリ１６、操作部１７、および映像音声記録部１８などを備えている。
【００２１】
撮像部１１は、レンズや撮像素子などを備え、演算制御部１５の指示に応じて、被写体の撮影（被写体の光学像を表す画像を、連続的に取得すること）を実行する。撮影によって得られた映像信号は、映像音声処理部１３に伝送される。またマイク１２は、周囲の音声を表す音声信号を取得し、映像音声処理部１３に伝送する。
【００２２】
映像音声処理部１３は、前段側から伝送された映像信号および音声信号に対して所定の処理を施し、映像音声情報（映像と音声の情報が、同期した状態で含まれる情報）を取得する。取得された映像音声情報は、演算制御部１５の指示に応じて、映像音声記録部１８に記録されたり、ＨＤＭＩ端子１４を介して外部に出力されたりすることとなる。
【００２３】
またＨＤＭＩ端子１４は、ＨＤＭＩケーブルが取り付けられる端子である。映像処理システム９においては、ＨＤＭＩ端子１４にＨＤＭＩケーブル３が取り付けられ、テレビ受像機２に接続される。テレビ受像機２から入力された情報は、演算制御部１５に伝送される。
【００２４】
演算制御部１５は、例えばＣＰＵ等によって形成されており、ビデオカメラ１の機能を発揮するために必要な各種処理を実行する。なお、ビデオカメラ１において実行される処理の内容については、改めて説明する。
【００２５】
メモリ１６は、演算制御部１５に読み出されるプログラム等、各種の情報を記憶する。なおメモリ１６が記録する情報には、図５に示すような「回転管理テーブル」が含まれる。この回転管理テーブルは、後述する映像音声ファイルが新たに作成される度に、この映像音声ファイルに対応して設けられる（つまり、映像音声ファイルごとに別個に設けられる）ものである。なお、回転管理テーブルの具体的な内容や使われ方等については、後述の説明で明らかになる。
【００２６】
操作部１７は、例えば、押しボタンスイッチやリモコン信号受信装置などを有しており、ユーザによって操作される。また操作の内容は、演算制御部１５に伝送される。これにより演算制御部１５は、ユーザの意図を反映させた処理を実行することが可能である。
【００２７】
映像音声記録部１８は、例えばＨＤＤ［Hard Disk Drive］といった大容量の記録媒体によって形成されており、演算制御部１５による情報の読み書きが可能となっている。映像音声記録部１８は、主に、映像音声処理部１３にから出力された映像音声情報の記録に用いられる。
【００２８】
その他、ビデオカメラ１においては、ディスプレイやスピーカも備えられている。これによりユーザは、撮像部１１やマイク１２を通じて得られた映像や音声をリアルタイムで確認したり、記録済みの映像音声情報を再生させたりすることが可能となっている。
【００２９】
またテレビ受像機２は、図３に示すように、ＡＶ信号入力端子２１、ＨＤＭＩ端子２２、放送信号入力端子２３、チューナ２４、ＤＥＭＵＸ回路２５、ＡＶデコーダ２６、映像音声処理部２７、ＰＤＰモジュール２８、スピーカ２９、第１〜第３信号経路（３０ａ〜３０ｃ）、演算制御部３１、メモリ３２、および操作部３３などを備えている。
【００３０】
ＡＶ信号入力端子２１は、例えばコンポーネント端子やＤ端子として形成されており、所定のケーブルを介して、外部機器からの映像信号および音声信号の入力を受付ける。入力された信号は、第１信号経路３０ａに供給される。
【００３１】
ＨＤＭＩ端子２２は、ＨＤＭＩケーブルが取り付けられる端子である。映像処理システム９においては、ＨＤＭＩ端子２２にＨＤＭＩケーブル３が取り付けられ、レコーダ１に接続される。レコーダ１から入力された信号は、演算制御部３１に伝送されるとともに、第２信号経路３０ｂに供給される。
【００３２】
放送信号入力端子２３は、不図示のアンテナ等に接続されており、外部からテレビ放送の信号が入力される。またチューナ２４は、放送信号入力端子２３から伝送されたテレビ放送の信号に対して選局処理を施し、ＤＥＭＵＸ回路２５を介してＡＶデコーダ２６に伝送する。なお、何れのチャンネルを選局するかは、操作部３３を通じたユーザの指示に基づいて決定される。
【００３３】
ＡＶデコーダ２６は、伝送されてきたテレビ放送の信号に対して復調処理などを施し、映像信号および音声信号を抽出する。このようにして得られた信号は、第３信号経路３０ｃに供給される。
【００３４】
映像音声処理部２７は、前段側から入力された映像信号や音声信号を処理するものであり、スイッチ２７ａ、映像処理回路２７ｂ、ＯＳＤ／スケーラ回路２７ｃ、映像出力回路２７ｄ、音声処理回路２７ｅ、および音声出力回路２７ｆなどを有している。
【００３５】
スイッチ２７ａは、前段側が、第１〜第３の各信号経路（３０ａ〜３０ｃ）に接続されており、後段側が、映像処理回路２７ｂおよび音声処理回路２７ｅに接続されている。そしてスイッチ２７ａは、演算制御部３１の指示に応じて、第１〜第３の各信号経路（３０ａ〜３０ｃ）の何れか一つを、映像処理回路２７ｂおよび音声処理回路２７ｅへ、切替可能に接続する。
【００３６】
これによりテレビ受像機２では、各入力端子（２１〜２３）の何れか一つを、有効（映像および音声信号の入力が可能）に設定することが可能となっている。つまりスイッチ２７ａによって、第１信号経路３０ａが後段側に接続されているときは、ＡＶ信号入力端子２１が有効に設定され、第２信号経路３０ｂが後段側に接続されているときは、ＨＤＭＩ端子２２が有効に設定され、第３信号経路３０ｃが後段側に接続されているときは、放送信号入力端子２３が有効に設定されることになる。なお、入力端子に入力された信号がアナログ信号であっても、スイッチ２７ａに到達するまでには、デジタル化されるようになっている。
【００３７】
映像処理回路２７ｂは、前段側から伝送された信号から映像信号を抽出し、ＯＳＤ／スケーラ回路２７ｃに出力する。またＯＳＤ／スケーラ回路２７ｃは、演算制御部３１の指示に応じて、ＯＳＤ処理（所定のＯＳＤ表示を映像信号の映像に重畳させる処理）や、映像回転を実行する。
【００３８】
映像回転の処理によれば、入力された映像が、その映像のほぼ中心を軸として、指定された回転角だけ回転されることになる。そのため、例えばビデオカメラ１が傾けられた状態での撮影がなされ、その映像が傾いた状態となっていても、この傾きを打ち消すように映像回転が実行されることにより、傾いていない映像を表示させることが可能となる。
【００３９】
また映像出力回路２７ｄは、ＯＳＤ／スケーラ回路２７ｃから受取った映像信号を、ＰＤＰモジュール２８に出力する。ＰＤＰモジュール２８は、ＰＤＰ［Plasma Display Panel］（以下、「パネル」と称する）を有しており、入力された映像信号の映像を表示する。
【００４０】
音声処理回路２７ｅは、前段側から伝送された信号から音声信号を抽出し、音声出力回路２７ｆに出力する。また音声出力回路２７ｆは、受取った音声信号をスピーカ２９に出力する。これによりスピーカ２９は、入力された音声信号の音声を出力する。
【００４１】
演算制御部３１は、例えばＣＰＵ等によって形成されており、テレビ受像機２の機能を発揮するために必要な各種処理を実行する。テレビ受像機２において実行される処理の内容については、改めて説明する。なお、演算制御部３１としては、例えば、リモコン信号の受信やチューナ２４の制御等を主に行うＣＰＵ（リモコンによってテレビ受像機２が電源ＯＦＦとされた状態でも電源が供給される）と、映像音声処理部２７やＰＤＰモジュール２８の制御等を主に行うＣＰＵとが別個に設けられ、相互に通信可能な仕様となっていてもよい。
【００４２】
メモリ３２は、演算制御部３１に読み出されるプログラム等、各種の情報を記憶する。なおメモリ３２が記録する情報には、「回転角情報」が含まれる。この回転角情報は、ＰＤＰモジュール２８のパネルに映像を表示させる際に、この映像をどの程度（どのような回転角で）回転させるかを特定するものである。
【００４３】
例えば回転角情報が「＋９０度」に設定されている状態では、演算制御部３１は、パネルに表示される映像が「＋９０度」だけ回転するように、ＯＳＤ／スケーラ２７ｃを制御する。なお回転角情報は、映像音声情報の再生が開始される度に「０度」（回転させない）に設定され、後述するステップＳ２７の処理がなされることにより、適宜更新される。
【００４４】
操作部３３は、例えば、押しボタンスイッチやリモコン受信装置などを有しており、ユーザによって操作される。また操作の内容は、演算制御部３１に伝送される。これにより演算制御部３１は、ユーザの意図を反映させた処理を実行することが可能である。
【００４５】
上述した構成のビデオカメラ１は、被写体の撮影によって映像音声情報を取得し、映像音声記録部１８に記録する処理（撮影録画処理）などを、単独で実行することが可能となっている。なお撮影録画処理では、ユーザによる撮影開始指示がなされてから撮影終了指示がなされるまで（何れの指示も、操作部１７を通じてなされる）が、一回分の撮影となっており、その間に取得された映像音声情報が、一つの映像音声ファイルとして記録される。このような処理が繰り返される度に、映像音声ファイルは、映像音声記録部１８に蓄積されていく。またそれぞれの映像音声ファイルは、別個に管理可能（編集や削除などが可能）となる。
【００４６】
また上述した構成のテレビ受像機２は、テレビ放送局から映像および音声の情報を取得し、映像表示や音声出力を行う処理（テレビ放送の受像）などを、単独で実行することが可能となっている。
【００４７】
そして更に両機が接続された状態、つまり映像処理システム９としては、ビデオカメラ１に記録されている映像音声情報をテレビ受像機２に転送し、テレビ受像機２側で再生させる処理（録画転送再生処理）などが実行可能である。なお録画転送再生処理においては、後述する通り、現在または過去におけるユーザの指示に基づいて、映像を回転させて表示することが可能となっている。
【００４８】
ここで、録画転送再生処理の内容について、図４に示すフローチャートを参照しながら、より詳細に説明する。
【００４９】
ビデオカメラ１（演算制御部１５）は、通常時、ユーザによって何れかの映像音声ファイルが指定され、その映像再生の実行指示がなされたかを監視する（ステップＳ１１）。なおここでの映像再生は、指定された映像音声ファイルがテレビ受像機２に転送され、その映像や音声がテレビ受像機２側で再生される処理のことである。
【００５０】
そして当該実行指示（操作部１７における所定の操作）がなされたら（ステップＳ１１のＹ）、ビデオカメラ１は、テレビ受像機２に対する、指定された映像音声ファイルの送信を開始する（ステップＳ１２）。以降、当該映像音声ファイルの送信が完了するまで（ステップＳ１５を参照）、一定のレートで送信が継続されることになる。
【００５１】
ここで映像音声ファイルの送信に先立ち、テレビ受像機２においては、ビデオカメラ１に接続されているＨＤＭＩ端子２２が有効に設定される（映像音声情報の受信が可能な状態にされる）ものとする。なお、映像処理システム９においては、ＣＥＣによるワンタッチプレイ［One Touch Play］機能が設けられていてもよい。このようにすれば、再生開始の前までは、テレビ受像機２において他の入力端子が有効となっていても、再生開始の時点では、有効な入力端子がＨＤＭＩ端子２２に切替えられるため、映像音声情報を適切に受信させることができる。
【００５２】
また映像音声ファイルの送信が継続されている間、ビデオカメラ１は、次の処理を実行する。まずビデオカメラ１は、テレビ受像機２から指示情報を受信したかを判断する（ステップＳ１３）。なおこの指示情報は、タイミングおよび回転角を表す情報であり、詳しくは後述する（ステップＳ２４を参照）。そして指示情報を受信した場合には（ステップＳ１３のＹ）、ビデオカメラ１はこの指示情報に基づいて、メモリ１６に記録されている回転管理テーブルを更新する（ステップＳ１４）。
【００５３】
なお「回転管理テーブル」は、図５に示すように、何れのタイミングで（再生開始時から何秒後に）、映像回転の回転角をどのように変更するかを表す情報となっている。図５の場合では、回転角が０度（回転させない）の状態で再生が開始された後、再生開始時から１５秒後に回転角が＋９０度に変更され、同じく４０秒後に回転角が０度に変更されることが表されている。このように回転管理テーブルは、映像（ビデオカメラ１からテレビ受像機２に転送されて表示される撮影映像）がどのように回転されるかを表すものとなっている。
【００５４】
そして例えば、現在送信中である映像音声ファイルの回転管理テーブルが、図５に示す通りである場合、「再生開始から６３秒のタイミングで、−９０度回転させる」という内容の指示情報が受信された場合には、図６に示すように、この指示情報に対応した情報が付加されることになる。
【００５５】
またステップＳ１４の処理がなされた後、或いは指示情報を受信していない場合（ステップＳ１３のＮ）には、次にビデオカメラ１は、現在送信中である映像音声ファイルの回転管理テーブルに基づいて、回転角を変更すべきタイミングが到来したかを判断する（ステップ１５）。そしてそのタイミングが到来している場合には（ステップＳ１５のＹ）、ビデオカメラ１は、回転管理テーブルに基づいて、映像の回転角を更新させるための回転角更新情報を生成し、テレビ受像機２に送信する（ステップＳ１６）。
【００５６】
例えば、現在送信中である映像音声ファイルの回転管理テーブルが図６に示す通りである場合、映像音声情報の送信開始から１５秒、４０秒、或いは６３秒のタイミングが到来したかが判断される（ステップＳ１５）。そして送信開始から１５秒のタイミングが到来した場合には（ステップＳ１５のＹ）、映像の回転角を＋９０度に更新させるための回転角更新情報が、テレビ受像機２に送信されることとなる（ステップＳ１６）。なおこの回転角更新情報も、映像（ビデオカメラ１からテレビ受像機２に転送されて表示される撮影映像）がどのように回転されるかを表す情報といえる。
【００５７】
なお上述した回転角更新情報の送信は、ＨＤＭＩ規格のＣＥＣを利用したものとなっている。ここで参考のため、ＣＥＣによる通信フォーマットの一例を、表１（回転角の通知の場合）および表２（回転角の問い合わせの場合）に示す。
【表１】
2010263338.tif 000003
【表２】
2010263338.tif 000004
【００５８】
なお１バイト目は、通信方向を表すものであり、例えば「０ｘ４０」であれば、ビデオカメラ（論理アドレス：４）からテレビ受像機（論理アドレス：０）への通信を表す。また２バイト目は、後続する情報がベンダーの独自コードであるかを表し、例えば「０ｘ８９」であれば、独自コードであることを表す。
【００５９】
また３バイト目は、ここでは、「０ｘ１０」であれば「通知」を表し、「０ｘ１１」であれば「問い合わせ（取得）」を表す。また３バイト目が「０ｘ１０」であれば、４バイト目は回転角を表す。回転角は、例えば、「０ｘ０１」であれば＋９０度、「０ｘ０２」であれば０度、「０ｘ０３」であれば−９０度、「０ｘ０４」であれば１８０度とする。
【００６０】
またステップＳ１６の処理がなされた後、或いは回転角を変更すべきタイミングが到来していない場合（ステップＳ１５のＮ）には、ビデオカメラ１は、指定された映像音声ファイルの送信が完了したか（当該ファイルに係る映像音声情報が最後まで送信されたか）を判断する（ステップＳ１７）。その結果、完了していない場合には（ステップＳ１７のＮ）、ステップＳ１３の処理が繰り返され、完了している場合には（ステップＳ１７のＹ）、ステップＳ１１の処理が繰り返される。
【００６１】
一方、テレビ受像機２は、ビデオカメラ１から映像音声情報を受信し始めたかどうかを監視する（ステップＳ２１）。そして受信し始めた場合には（ステップＳ２１のＹ）、テレビ受像機２は、受信している映像音声情報の再生を開始する（ステップＳ２２）。つまりテレビ受像機２は、映像音声情報を映像音声処理部２７によって適切に処理し、その映像をＰＤＰモジュール２８のパネルに表示するとともに、音声をスピーカ２９から出力する処理を開始する。以降、映像音声情報の受信が終了するまで（ステップＳ２８を参照）、映像音声情報の再生が継続されることになる。
【００６２】
また映像音声情報の再生が継続されている間、テレビ受像機２は、次の処理を実行する。テレビ受像機２は、ユーザによる回転角の変更指示（操作部３３の操作）を受付ける。これによりユーザは、ＰＤＰモジュール２８のパネルに表示されている映像を見ながら、映像回転の回転角を変更させたいタイミングで、回転角の変更指示（回転角を特定する情報の入力など）を行うことが可能となっている。
【００６３】
なお回転角を特定する情報の入力態様としては、現在表示されている映像が、どの程度（何度）傾いているかが入力されるようになっていても良い。この場合、例えば「＋９０度傾いている」という趣旨の入力がなされたら、これを補正するべく、回転角を「−９０度」に変更する指示がなされたと解釈される。
【００６４】
そしてテレビ受像機２は、このような変更指示がなされたかを判断する（ステップＳ２４）。変更指示がなされた場合には（ステップＳ２４のＹ）、テレビ受像機２は、当該変更指示がなされたタイミング（再生開始から何秒後に変更指示の操作がなされたか）、および、変更指示によって特定される回転角（どのような回転角で回転させるか）を判断する。そしてテレビ受像機２は、ＣＥＣを用いて、この判断結果を表す指示情報、つまり、再生開始からのタイミングと回転角を特定する指示情報を生成し、ビデオカメラ１に送信する（ステップＳ２５）。なおこの指示情報も、映像（ビデオカメラ１からテレビ受像機２に転送されて表示される撮影映像）がどのように回転されるかを表す情報といえる。
【００６５】
またステップＳ２５の処理を実行するとともに、テレビ受像機２は、メモリ３２に記録されている回転角情報の設定内容を、変更指示によって特定される回転角に更新する（ステップＳ２７）。これにより、以降の映像音声情報の再生においては、次に回転角情報が更新されるまで、変更指示の内容に応じて回転した映像が表示されることになる。
【００６６】
一方、回転角の変更指示がなされていない場合には（ステップＳ２４のＮ）、次にテレビ受像機２は、ビデオカメラ１から回転角更新情報を新たに受信したかを判断する（ステップＳ２６）。そして受信した場合には（ステップＳ２６のＹ）、テレビ受像機２は、メモリ３２に記録されている回転角情報の設定内容を、回転角更新情報によって特定される回転角に更新する（ステップＳ２７）。
【００６７】
これにより、ビデオカメラ１による回転角更新情報の送信時とほぼ同じタイミング（つまり、回転管理テーブルが示すタイミングとほぼ同じタイミング）で、回転角情報の設定内容が更新される。そして以降の映像音声情報の再生においては、次に回転角情報が更新されるまで、回転角更新情報の内容に応じて回転した映像が表示されることになる。その結果、ビデオカメラ１からテレビ受像機２に転送されて表示される撮影映像は、ビデオカメラ１に記録されている回転管理テーブルの内容の通りに、回転されることとなる。
【００６８】
また、回転角情報の更新（ステップＳ２７）を実行した後、或いは、回転角更新情報を受信していない場合（ステップＳ２６のＮ）には、テレビ受像機２は、映像音声情報の受信が終了しているかを判断する（ステップＳ２８）。その結果、終了していない場合には（ステップＳ２８のＮ）、ステップＳ２４の処理が繰り返され、終了している場合には（ステップＳ２８のＹ）、ステップＳ２１の処理が繰り返される。
【００６９】
上述した内容の録画転送再生処理が実行されることにより、ユーザは、ビデオカメラ１に記録されている映像や音声を、テレビ受像機２側で視聴することが可能となる。また映像の再生中に映像を回転させたい、或いは回転角を変えたいと思った場合には、ユーザは、テレビ受像機２に対して回転角の変更指示を与えることによって、その要求を満たすことができる（ステップＳ２４、Ｓ２７を参照）。
【００７０】
また、回転角の変更指示があった場合には、その情報が回転管理テーブルに記録される（ステップＳ１３、Ｓ１４、Ｓ２４、Ｓ２５を参照）。そして、映像の再生中においては、回転管理テーブルに応じた映像の回転、或いは回転角の変更も実行される（ステップＳ１５、Ｓ１６、Ｓ２６、Ｓ２７を参照）。そのため、同じ映像音声ファイルについての録画転送再生処理が再度行われるときは、ユーザが過去に行った変更指示の通りに、映像の回転、或いは回転角の変更がなされる。これにより、録画転送再生処理を行う度に、何度も変更指示を与える必要がなくなるため、ユーザにとっては非常に便利となる。
【００７１】
なお録画転送再生処理の態様については、上述したものに限定されず、種々の変形を加えることができる。例えば、一つの映像音声ファイルにつき、映像の回転における回転角が固定（再生の開始から終了まで、回転角が一定）とされても構わない。この態様によれば、ビデオカメラ１は、ステップＳ１５およびＳ１６の処理を行う代わりに、例えば映像音声ファイルの送信開始時に、回転角を特定する情報を送信するだけでよい。
【００７２】
以上に説明した通り、本実施形態に係るビデオカメラ１（撮影装置）は、被写体の撮影によって得られた映像情報（撮影映像）を映像音声記録部１８に記録するとともに、ＨＤＭＩ規格に準拠した通信によって、この撮影映像をテレビ受像機２（他機）に転送する。またビデオカメラ１は、テレビ受像機２において撮影映像が表示される際に、映像がどのように回転されるかを表す回転管理テーブル（回転情報の一態様）を記録するとともに、撮影映像の転送を行うときに、ＨＤＭＩ規格のＣＥＣを用いて、回転角更新情報（回転情報の一態様）をテレビ受像機２に送信する。
【００７３】
そのためビデオカメラ１によれば、テレビ受像機２に撮影映像の回転表示を実行させることが可能となっている。そのため、傾いた映像の補正などが可能となるため、利便性を向上させることができる。また機器間の通信については、既に確立されているＣＥＣが利用されるため、信頼性の高い通信が容易に実現される。
【００７４】
以上、本発明の実施形態の一例について説明したが、本発明はこれらの内容に限定されるものではない。当該実施形態としては、本発明の主旨を逸脱しない範囲において、種々の改変を加えることが可能である。
【産業上の利用可能性】
【００７５】
本発明は、映像を処理する映像処理システムなどにおいて利用することができる。
【符号の説明】
【００７６】
１    ビデオカメラ（撮影装置）
２    テレビ受像機（映像表示装置）
３    ＨＤＭＩケーブル
９    映像処理システム
１１    撮像部
１２    マイク
１３    映像音声処理部
１４    ＨＤＭＩ端子
１５    演算制御部
１６    メモリ
１７    操作部
１８    映像音声記録部
２１    ＡＶ信号入力端子
２２    ＨＤＭＩ端子
２３    放送信号入力端子
２４    チューナ
２５    ＤＥＭＵＸ回路
２６    ＡＶデコーダ
２７    映像音声処理部
２７ａ  スイッチ
２７ｂ  映像処理回路
２７ｃ  ＯＳＤ／スケーラ回路
２７ｄ  映像出力回路
２７ｅ  音声処理回路
２７ｆ  音声出力回路
２８    ＰＤＰモジュール
２９    スピーカ
３０ａ  第１信号経路
３０ｂ  第２信号経路
３０ｃ  第３信号経路
３１    演算制御部
３２    メモリ
３３    操作部
【図２】
2010263338.tif 000005
【図３】
2010263338.tif 000006
【図４】
2010263338.tif 000007
【図５】
2010263338.tif 000008
【図６】
2010263338.tif 000009
【図１】
2010263338.tif 000010